(57)【要約】【課題】火災時に面材の脱落をより確実に防止することができるサッシを提供すること。【解決手段】面材規制部６が下框３２、４２の長手方向略中央部に設けられていることで、下框３２、４２全体が上方に凸状に変形しようとしても、面材規制部６を複層ガラス３５、４５に当接させやすくすることができ、下框３２、４２の変形を防止するとともに、複層ガラス３５、４５の脱落を防止することができる。【選択図】図３
2015151799.tif 000002
【特許請求の範囲】
【請求項１】
枠材を枠組みした窓枠と、該窓枠に支持される障子と、を備えたサッシであって、
前記障子は、框材を矩形状に枠組みした障子枠と、該障子枠に四周が保持される面材と、を有して構成され、
前記框材は、長手方向に延びる溝状の面材保持部を有して形成され、
前記面材保持部は、見込方向に対向して前記面材を挟持する一対の保持面部と、該保持面部の基端同士を結ぶ底面部と、を備え、
前記框材の前記底面部には、前記面材の周端面から離隔した面材規制部が前記長手方向中央を含んだ所定範囲に設けられることを特徴とするサッシ。
【請求項２】
前記框材の前記底面部には、前記面材規制部と、前記面材の周端面の少なくとも一部に当接する当接部材と、が設けられることを特徴とする請求項１に記載のサッシ。
【請求項３】
前記面材規制部が設けられた框材には、火災時に前記枠材の一部に当接することで該框材の変形を規制する框材規制部が設けられ、
前記框材規制部は、前記長手方向における前記面材規制部の近傍に設けられていることを特徴とする請求項１又は２に記載のサッシ。
【請求項４】
枠材を枠組みした窓枠と、該窓枠に支持される障子と、を備えたサッシであって、
前記障子は、框材を矩形状に枠組みした障子枠と、該障子枠に四周が保持される面材と、を有して構成され、
前記框材は、長手方向に延びる溝状の面材保持部を有して形成され、
前記面材保持部は、見込方向に対向して前記面材を挟持する一対の保持面部と、該保持面部の基端同士を結ぶ底面部と、を備え、
前記框材の前記底面部には、前記面材の周端面から離隔した面材規制部が設けられ、
前記面材規制部を備えた框材には、前記枠材の一部に当接することで該框材の変形を規制する框材規制部が、前記長手方向における該面材規制部の近傍に設けられることを特徴とするサッシ。
【請求項５】
前記面材規制部は、前記面材の屋内側又は屋外側において該面材の周端面よりも見付け方向内方に延びて該面材の周端縁部を係止可能な係止突起を有して形成されていることを特徴とする請求項１〜４いずれか１項に記載のサッシ。
【発明の詳細な説明】
【技術分野】
【０００１】
本発明は、枠材を枠組みした窓枠と、該窓枠に支持される障子と、を備えたサッシに関する。
【背景技術】
【０００２】
従来、樹脂製の枠材を枠組した窓枠に障子が支持されるサッシとして、樹脂製の框材を枠組みした障子枠によってガラスパネルが保持されるとともに、ガラスパネルの面内方向への移動を規制する樹脂製のセッティングブロック（当接部材）と、火災時にガラスパネルの脱落を防ぐための金属部材と、が框材のうち下框に設けられたものが提案されている（例えば、特許文献１参照）。特許文献１に記載された従来のサッシでは、金属部材がセッティングブロックよりも小さい見付け方向高さを有することで、常時にはセッティングブロックをガラスパネルの端面に当接させるとともに、火災によって当接部材及び框材が溶融した場合には、金属部材をガラスパネルの端面に当接させて保持し、ガラスパネルの脱落を防止している。
【先行技術文献】
【特許文献】
【０００３】
【特許文献１】特開２０１０−２４８８３７号公報
【発明の概要】
【発明が解決しようとする課題】
【０００４】
しかしながら、特許文献１に記載された技術は、金属製（例えばアルミ製）の框材を用いた場合、火災によって加熱されると、框材は、見付け方向外側には金属製の枠材が設けられていることから放熱しやすく、見付け方向内側においてはガラスパネルが設けられていることから放熱しにくいため、見付け方向内方に向かって伸び変形してしまう可能性がある。框材が変形してしまうと、面材規制部がガラスパネルの端面と当接しなかったり、当接しても框材の変形によってガラスパネルが脱落してしまったりする可能性があった。
【０００５】
本発明の目的は、火災時に面材の脱落をより確実に防止することができるサッシを提供することにある。
【課題を解決するための手段】
【０００６】
本発明のサッシは、枠材を枠組みした窓枠と、該窓枠に支持される障子と、を備えたサッシであって、前記障子は、框材を矩形状に枠組みした障子枠と、該障子枠に四周が保持される面材と、を有して構成され、前記框材は、長手方向に延びる溝状の面材保持部を有して形成され、前記面材保持部は、見込方向に対向して前記面材を挟持する一対の保持面部と、該保持面部の基端同士を結ぶ底面部と、を備え、前記框材の前記底面部には、前記面材の周端面から離隔した面材規制部が前記長手方向中央を含んだ所定範囲に設けられることを特徴とする。
【０００７】
以上のような本発明によれば、框材の長手方向中央を含んだ所定範囲に面材規制部が設けられていることで、火災時において、框材が障子枠の四隅において拘束されることによって長手方向中央部付近が見付け方向内方に向かうように框材全体が凸状に変形しようとしても、面材規制部を面材に当接させやすくすることができ、框材の見付け方向内方への変形を防止するとともに、面材の脱落を防止することができる。さらに、下框に面材規制部が設けられていれば、長手方向中央部付近において面材の荷重を下框に加えることができ、框材が凸状に変形することをさらに防止することができる。
【０００８】
なお、枠材及び框材において、長手方向とは、各枠材又は各框材の材軸に沿った方向（アルミ形材においては押し出し方向）を意味し、見込み方向とは、屋内外方向（面外方向、面材の平面に直交する方向）を意味し、見付け方向とは、正面から見た各枠材又は各框材の幅方向（面内方向、長手方向及び見込み方向に直交する方向）を意味する。
【０００９】
この際、本発明のサッシでは、前記框材の前記底面部には、前記面材規制部と、前記面材の周端面の少なくとも一部に当接する当接部材と、が設けられることが好ましい。このような構成によれば、框材に面材規制部と当接部材とが設けられていることで、常時において当接部材を面材の周端面に当接させて支持することができるとともに、火災時に当接部材が溶融した場合に面材規制部を面材の周端面に当接させて脱落を防止することができる。
【００１０】
さらに、本発明のサッシでは、前記面材規制部が設けられた框材には、火災時に前記枠材の一部に当接することで該框材の変形を規制する框材規制部が設けられ、前記框材規制部は、前記長手方向における前記面材規制部の近傍に設けられていることが好ましい。
【００１１】
このような構成によれば、面材規制部と框材規制部とが長手方向において近傍に設けられている、即ち、前述のように火災時に框材の見付け方向内方への変形が防止される位置の近傍に框材規制部が設けられていることで、框材規制部が設けられた位置において框材が枠材から離れるように変形することを防止することができ、框材規制部を枠材の一部に当接させやすくして框材の変形を防止し、面材の脱落をより効果的に防止することができる。
【００１２】
また、本発明のサッシは、枠材を枠組みした窓枠と、該窓枠に支持される障子と、を備えたサッシであって、前記障子は、框材を矩形状に枠組みした障子枠と、該障子枠に四周が保持される面材と、を有して構成され、前記框材は、長手方向に延びる溝状の面材保持部を有して形成され、前記面材保持部は、見込方向に対向して前記面材を挟持する一対の保持面部と、該保持面部の基端同士を結ぶ底面部と、を備え、前記框材の前記底面部には、前記面材の周端面から離隔した面材規制部が設けられ、前記面材規制部を備えた框材には、前記枠材の一部に当接することで該框材の変形を規制する框材規制部が、前記長手方向における該面材規制部の近傍に設けられることを特徴とする。
【００１３】
このような本発明のサッシによれば、火災時に面材と面材規制部とが当接して框材の見付け方向への変形を防止するとともに、この近傍において框材が枠材から離れるように変形することを防止し、框材規制部を枠材の一部に当接させやすくして框材の変形を防止し、面材の脱落を防止することができる。
【００１４】
また、本発明のサッシでは、前記面材規制部は、前記面材の屋内側又は屋外側において該面材の周端面よりも見付け方向内方に延びて該面材の周端縁部を係止可能な係止突起を有して形成されていることが好ましい。
【００１５】
このような構成によれば、面材規制部が係止突起を備えることで、火災時に面材が屋外側又は屋内側に倒れようとしても係止突起が面材の周端縁部を係止することができ、面材が倒れて脱落してしまうことを防止することができる。
【発明の効果】
【００１６】
以上のような本発明のサッシによれば、火災時に面材規制部と面材とが当接可能に設けられて框材の見付け方向への変形が防がれていることで、火災時に面材の脱落をより確実に防止することができる。
【図面の簡単な説明】
【００１７】
【図１】本発明の第１実施形態に係るサッシを示す縦断面図である。
【図２】前記サッシを示す横断面図である。
【図３】前記サッシの内障子及び外障子を示す正面図である。
【図４】前記サッシの要部を拡大して示す縦断面図である。
【図５】前記サッシの要部を拡大して示す横断面図である。
【図６】火災時の前記サッシを示す縦断面図である。
【図７】火災時の前記サッシを示す横断面図である。
【図８】本発明の第２実施形態に係るサッシの要部を示す縦断面図である。
【図９】本発明の第３実施形態に係るサッシの要部を示す縦断面図である。
【図１０】本発明の第４実施形態に係るサッシの要部を示す縦断面図である。
【発明を実施するための形態】
【００１８】
以下、本発明の各実施形態を図面に基づいて説明する。なお、第２〜４実施形態においては、第１実施形態で説明する構成部材と同じ構成部材及び同様な機能を有する構成部材には、第１実施形態と同じ符号を付すとともに説明を省略する。
【００１９】
〔第１実施形態〕
本実施形態のサッシ１は、図１、２に示すように、建物に形成された開口部Ｏに設けられるものであって、窓枠２と、窓枠２に支持される障子としての内障子３及び外障子４と、を備えた引き違い窓である。以下、常時において内障子３及び外障子４を閉じた際の各部材及びその位置関係について説明する。
【００２０】
窓枠２は、枠材としての金属製の上枠２１、下枠２２、及び、左右の縦枠２３を枠組みしたものである。
【００２１】
上枠２１及び下枠２２は、建物と開口部Ｏとの境界に沿って延びる見込み面部２１１、２２１と、見込み面部２１１、２２１の屋内側端部から見付け方向内方へ延びる屋内側見付け面部２１２、２２２と、見込み面部２１１、２２１の屋外側端部から見付け方向内方へ延びる屋外側見付け面部２１３、２２３と、見込み面部２１１、２２１から見付け方向内方に突出して内障子３を支持する内側レール２１４、２２４と、見込み面部２１１、２２１から見付け方向内方に突出して外障子４を支持する外側レール２１５、２２５と、をそれぞれ備える。また、下枠２２は、内側レール２２４の基端付近から外障子４に向かって屋外側に突出した突出部２２６をさらに備え、屋内側見付け面部２２２及び突出部２２６の屋外側には気密材２２７が設けられている。
【００２２】
左右の縦枠２３は、それぞれ、建物と開口部Ｏとの境界に沿って延びる見込み面部２３１と、見込み面部２３１の屋内側端部から見付け方向内方へ延びる屋内側見付け面部２３２と、見込み面部２３１の屋外側端部から見付け方向内方へ延びる屋外側見付け面部２３３と、見込み面部２３１から内障子３又は外障子４に向かって突出するガイド片２３４と、内障子３と外障子４との間において見付け方向内方に突出する中間突出片２３５と、を備える。内障子３が当接する縦枠２３においては、気密材２３６が屋内側見付け面部２３２に設けられ、外障子４が当接する縦枠２３においては、気密材２３６が中間突出片２３５に設けられている。
【００２３】
内障子３及び外障子４は、図３にも示すように、框材としての上框３１、４１、下框３２、４２、縦框３３、４３、及び、召合わせ框３４、４４をそれぞれ矩形状に枠組みした障子枠３０、４０と、障子枠３０、４０に四周が保持される面材としての複層ガラス３５、４５と、を備える。なお、図３は、屋外側から見た外障子４を示すとともに、屋内側から見た内障子３を示し、内障子３に関する符号を括弧内に示す。
【００２４】
上框３１、４１は、複層ガラス３５、４５の上端部を保持する溝状の面材保持部３１１、４１１と、内側レール２１４又は外側レール２１５を見込み方向両側から挟んで案内される被案内部３１２、４１２と、を備え、被案内部３１２、４１２の内側には、内側レール２１４又は外側レール２１５に当接する気密材３１３、４１３が設けられている。
【００２５】
面材保持部３１１、４１１は、上框３１、４１の長手方向に沿って形成され、見込方向に対向するとともに内側に気密材３１１Ａ、４１１Ａが設けられた一対の保持面部３１１Ｂ、４１１Ｂと、保持面部３１１Ｂ、４１１Ｂの基端同士を結ぶ底面部３１１Ｃ、４１１Ｃと、を備え、一対の保持面部３１１Ｂ、４１１Ｂによって複層ガラス３５、４５を挟持している。
【００２６】
下框３２、４２は、図４にも示すように、複層ガラス３５、４５の下端部を保持する溝状の面材保持部３２１、４２１と、内側レール２２４又は外側レール２２５に載置される戸車３２２、４２２と、下枠２２に設けられた気密材２２７に当接する屋内側見付け面部３２３、４２３と、を備える。
【００２７】
外障子４の面材保持部４２１は、下框４２の長手方向に沿って形成され、内側に気密材４２１Ａが設けられた一対の保持面部４２１Ｂと、保持面部４２１Ｂの基端同士を結ぶ底面部４２１Ｃと、を備え、一対の保持面部４２１Ｂによって複層ガラス４５を挟持している。下框４２の底面部４２１Ｃには、複層ガラス４５の下端面（小口面）に当接して面内方向への移動を規制する樹脂製の当接部材５と、金属製の面材規制部６と、が設けられている。当接部材５は、長手方向の左右二箇所に設けられている。また、内障子３の面材保持部３２１は、外障子４の面材保持部４２１と略同様の構成を有する。
【００２８】
面材規制部６は、長手方向略中央部と当接部材５に隣接する位置との計三箇所に設けられるとともに面材保持部３２１、４２１にビス止めされている。面材規制部６は、当接部材５よりも見付け方向高さが小さいことで、その上面が複層ガラス３５、４５の下端面から離隔して設けられるとともに、後述するように火災時に当接部材５が溶融した場合に複層ガラス３５、４５の下端面に当接可能に設けられている。
【００２９】
さらに、外障子４の下框４２には、外側レール２２５に対応して金属製の框材規制部７が設けられ、框材規制部７は、長手方向の略中央部（即ち、長手方向において面材規制部６の近傍）において下框３２、４３にビス止めされるとともに、外側レール２２５に対して傾斜したテーパ部７Ａを有して形成されている。また、内障子３の下框３２にも、略同様の框材規制部７が設けられている。
【００３０】
縦框３３、４３は、図５にも示すように、複層ガラス３５、４５の見付け方向外側端部を保持する溝状の面材保持部３３１、４３１と、縦枠２３に向かって見付け方向外側に突出した一対の突出部３３２、４３２と、縦枠２３のガイド片２３４に案内される被ガイド部３３３、４３３と、を備える。
【００３１】
内障子３の面材保持部３３１は、下框３２、４２と略同様に、内側に気密材３３１Ａが設けられた一対の保持面部３３１Ｂと、保持面部３３１Ｂの基端同士を結ぶ底面部３３１Ｃと、を備え、一対の保持面部３３１Ｂによって複層ガラス３５を挟持している。底面部３３１Ｃには、長手方向の上下二箇所に当接部材５と面材規制部６とが隣接して設けられている。また、外障子４の面材保持部４３１は、内障子３の面材保持部３３１と略同様の構成を有する。
【００３２】
一対の突出部３３２、４３２のうち屋内側の突出部は、縦枠２３に設けられた気密材２３６に当接する。
【００３３】
内障子３の被ガイド部３３３は、長手方向における面材規制部６近傍に固定されるとともに、ガイド片２３４に当接する樹脂製の先端部３３３Ａと、ガイド片２３４に対して傾斜した金属製の框材規制部８と、を備える。また、外障子４の被ガイド部４３３は、内障子３の被ガイド部３３３と略同様の構成を有する。
【００３４】
召合わせ框３４、４４は、複層ガラス３５、４５の端部を保持する溝状の面材保持部３４１、４４１と、内障子３と外障子４とで互いに噛み合う煙返し部３４２、４４２と、を備え、内障子３の召合わせ框３４に設けられた気密材３４３が外障子４の召合わせ框４４に当接する。
【００３５】
面材保持部３４１、４４１は、上框３１、４１と略同様に、内側に気密材３４１Ａ、４４１Ａが設けられた一対の保持面部３４１Ｂ、４４１Ｂと、保持面部３４１Ｂ、４４１Ｂの基端同士を結ぶとともに表面の二箇所に当接部材５が設けられた底面部３４１Ｃ、４４１Ｃと、を備え、一対の保持面部３４１Ｂ、４４１Ｂによって複層ガラス３５、４５を挟持している。
【００３６】
複層ガラス３５、４５は、スペーサを介して見込み方向に対向して設けられる一対のガラスパネルとしての内側パネル３５１、４５１と外側パネル３５２、４５２とを備えるとともに、内側パネル３５１、４５１と外側パネル３５２、４５２との間に例えばアルゴンガスが封入されて断熱性が高められている。内側パネル３５１、４５１は、例えば、屋外側に図示しない金属膜が設けられたガラスパネルで構成され、外側パネル３５２、４５２は、網入りガラスパネルで構成されている。
【００３７】
次に、火災時における各部材の位置関係について、図６、７に基づいて説明する。外障子４の下框４２においては、火災の熱によって当接部材５が溶融し、複層ガラス４５が重力によって落下するとともに熱によって面内方向外側に膨張し、下端面が面材規制部６に当接することで複層ガラス４５が支持される。即ち、面材規制部６が設けられた位置において、複層ガラス４５の荷重が下框４２に加わり、下框４２が見付け方向内方に向かって凸状に変形することが防止される。
【００３８】
さらに、戸車４２２が溶融し、外障子４全体が落下すると、框材規制部７のテーパ部７Ａが外側レール２２５に案内され、外障子４が屋内側に引き寄せられる。また、内障子３の下框３２においても、外障子４の下框４２と略同様に、複層ガラス３５が面材規制部６に当接するとともに、框材規制部７のテーパ部７Ａが内側レール２２４に案内される。
【００３９】
内障子３の縦框３３においては、当接部材５が溶融するとともに、複層ガラス３５の内側パネル及び外側パネル３５１、３５２が熱によって面内方向外側に向かって膨張して面材規制部６に当接する。即ち、面材規制部６が設けられた位置において、複層ガラス３５が伸びようとする力（見付け方向外側へ向かう力）が縦框３３に加えられ、縦框３３が見付け方向内方に向かって凸状に変形することが防止される。さらに、被ガイド部３３３の先端部３３３Ａが溶融するとともに、縦框３３が見付け方向外側に移動又は変形すると、框材規制部８がガイド片２３４に案内され、内障子３が屋内側に引き寄せられる。
【００４０】
また、外障子４の縦框４３においても、内障子３の縦框３３と略同様に、複層ガラス４５が面材規制部６に当接するとともに、框材規制部８がガイド片２３４に案内される。
【００４１】
このような本実施形態によれば、以下のような効果がある。即ち、面材規制部６が下框３２、４２の長手方向略中央部に設けられていることで、中央部において下框３２、４２が上方に凸状に変形しようとしても、面材規制部６を複層ガラス３５、４５の周端面に当接させやすくすることができ、面材規制部６によって複層ガラス３５、４５の荷重を受けて下框３２、４２の変形を防止するとともに、複層ガラス３５、４５の脱落を防止することができる。
【００４２】
さらに、下框３２、４２において框材規制部７が面材規制部６の長手方向近傍に設けられていることで、面材規制部６が設けられた位置において下框３２、４２が下枠２２から離れるように変形することが防止され、框材規制部７のテーパ部７Ａを内側レール２２４又は外側レール２２５に案内させやすくすることができ、下框３２、４２が屋外側に変形することを防止することができる。
【００４３】
また、縦框３３、４３において框材規制部８が面材規制部６の長手方向近傍に設けられていることで、面材規制部６によって複層ガラス３５、４５が伸びようとする力を受け、面材規制部６が設けられた位置において縦框３３、４３が縦枠２３から離れるように変形することが防止され、框材規制部８をガイド片２３４に案内させやすくすることができ、縦框３３、４３が屋外側に変形することを防止することができる。
【００４４】
〔第２実施形態〕
本実施形態のサッシ１Ｂでは、図８に示すように、複層ガラス３５、４５が前記第１実施形態と略同様に、金属膜が設けられたガラスパネルで構成された内側パネル３５１、４５１と、網入りガラスで構成された外側パネル３５２、４５２と、を備える。また、面材規制部６Ｂが複層ガラス３５、４５の見込み方向略中央部よりも屋内側に設けられていることで、当接部材５が溶融した場合に、面材規制部６Ｂが内側パネル３５１、４５１に当接するとともに外側パネル３５２、４５２に当接しないように設けられている。
【００４５】
このような本実施形態によれば、前記第１実施形態と略同様の効果を奏することができる。さらに、屋外側で火災が発生した場合、外側パネル３５２、４５２は、直接加熱されるとともに、内側パネル３５１、４５１の金属膜による輻射熱でさらに加熱され、面内方向に膨張しようとする。ここで、面材規制部６Ｂが外側パネル３５２、４５２に当接しないことで、この膨張が規制されず、外側パネル３５２、４５２が屋外側に向かって凸に撓み変形して脱落したり割れてしまったりすることを防ぐことができる。
【００４６】
〔第３実施形態〕
本実施形態のサッシ１Ｃでは、図９に示すように、複層ガラス３５Ｃ、４５Ｃがガラスパネルで構成された内側パネル３５１Ｃ、４５１Ｃと、外側パネル３５２Ｃ、４５２Ｃと、を備えるとともに、複層ガラス３５Ｃ、４５Ｃの見込み方向における重心が内側レール２２４又は外側レール２２５とずれて偏心している。また、面材規制部６Ｃが内障子３においては複層ガラス３５の見込み方向略中央部よりも屋外側に設けられるとともに、外障子４においては複層ガラス４５の見込み方向略中央部よりも屋内側に設けられていることで、当接部材５が溶融した場合に、面材規制部６Ｃが内障子３においては外側パネル３５２Ｃに当接して内側パネル３５１Ｃに当接しないように設けられるとともに、外障子４においては内側パネル４５１Ｃに当接して外側パネル４５２Ｃに当接しないように設けられている。
【００４７】
このような本実施形態によれば、前記第１実施形態と略同様の効果を奏することができる。さらに、火災によって当接部材５が溶融した場合、内側レール２２４又は外側レール２２５から近い方の外側パネル３５２Ｃ又は内側パネル４５１Ｃの下端面が面材規制部６Ｃに当接し、下框３２、４２は、主に面材規制部６Ｃによって複層ガラス３５、４５の荷重を受ける。従って、複層ガラス３５Ｃ、４５Ｃの下端面全体が面材規制部６に当接する構成と比較して、下框３２、４２が複層ガラス３５Ｃ、４５Ｃの荷重を受ける位置と、内側レール２２４又は外側レール２２５による下框３２、４２の支持位置と、の見込み方向のずれを小さくすることができ、複層ガラス３５、４５の重量によって発生して内障子３又は外障子４が倒れるように作用するモーメントを抑制し、内障子３の屋内側への倒れや外障子４の屋外側への倒れを起こりにくくすることができる。
【００４８】
〔第４実施形態〕
本実施形態のサッシ１Ｄでは、図１０に示すように、面材規制部６Ｄが外側パネル３５２、４５２の下方において凹状に形成されるとともに、外側パネル３５２、４５２よりも屋外側において外側パネル３５２、４５２の下端面よりも上方（見付け方向内方）に延びた係止突起６１を備えている。
【００４９】
このような本実施形態によれば、前記第１実施形態及び前記第２実施形態と略同様の効果を奏することができる。さらに、火災によって外障子４の屋外側の保持面部４２１Ｂが変形して屋外側に開いて、外側パネル３５２、４５２が屋外側に倒れようとしても、係止突起６１が外側パネル３５２、４５２の下端縁部を係止し、外側パネル３５２、４５２の倒れを防止することができる。さらに、下框３２、４２が屋外側に倒れるように変形した場合でも、係止突起６１によって外側パネル３５２、４５２を係止して脱落を防止することができる。
【００５０】
なお、本発明は、前記第１〜４実施形態に限定されるものではなく、本発明の目的が達成できる他の構成等を含み、以下に示すような変形等も本発明に含まれる。例えば、前記第１〜第４実施形態では、下框３２、４２の長手方向略中央部に面材規制部６と框材規制部７とが設けられるものとしたが、面材規制部は、下框が見付け方向内方に凸状に変形しようとした際に面材と当接可能な位置であれば、下框の長手方向中央部からずれた所定範囲に設けられていてもよい。また、縦框の長手方向略中央部に面材規制部が設けられていてもよい。さらに、框材規制部は、面材規制部と長手方向に略同一位置に設けられていなくてもよく、面材規制部によって框材の変形が抑えられる範囲であれば、面材規制部と長手方向にずれて設けられていてもよい。
【００５１】
また、前記第１〜４実施形態では、縦框３３、４３の面材保持部３３１、４３１に当接部材５が設けられるものとしたが、縦框において当接部材は省略されていてもよい。また、面材が、例えば接着剤やグレイジングチャンネル等を介して面材保持部に保持される場合、下框においても当接部材が省略されていてもよい。
【００５２】
また、前記第１〜４実施形態では、面材としての複層ガラス３５、４５がガラスパネルとしての内側パネル３５１、４５１と外側パネル３５２、４５２とを備えるものとしたが、面材は、三枚以上のガラスパネルを備えていてもよいし、単板ガラスで構成されていてもよい。また、面材を構成するパネル部材は、網入りガラスパネルや金属膜が設けられたガラスパネルに限らず、耐熱ガラス製であってもよいし、サッシが設けられる場所に応じて適宜なものが用いられていればよく、面材が複数のパネル部材を備える場合には前記のうち適宜なものが組み合わされていればよい。
【００５３】
また、前記第２実施形態及び前記第４実施形態では、面材規制部６Ｂ、６Ｄが網入りガラスパネルで構成された外側パネル３５２、４５２の下端面に当接しないように構成されるものとしたが、面材規制部が面材を構成する一対のパネル部材の一方と当接可能に設けられる場合、外側パネルが網入りガラスパネルで構成されていても、前記第３実施形態のように面材規制部が内側レール又は外側レールに近い方のパネル部材に当接可能に設けられてもよく、面材を構成するパネル部材の材質や重量、見込み方向における位置等に応じて、面材規制部は適宜なパネル部材に当接可能に設けられていればよい。
【００５４】
また、前記第４実施形態では、面材規制部６Ｄが外側パネル３５２、４５２に当接しないとともに屋外側に係止突起６１を有するものとしたが、面材規制部は面材の下端面全体に当接可能であるとともに係止突起を有していてもよいし、係止突起は屋内側に設けられていてもよい。
【００５５】
また、前記第１〜４実施形態では、サッシ１が内障子３及び外障子４を備えた引き違い窓であるものとしたが、障子の数や開閉方式は特に限定されない。
【００５６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５７】
１                 サッシ
２                 窓枠
３                 内障子
４                 外障子
５                 当接部材
６                 面材規制部
７                 框材規制部
８                 框材規制部
２１               上枠（枠材）
２２               下枠（枠材）
２３               縦枠（枠材）
３０、４０         障子枠
３１、４１         上框（框材）
３２、４２         下框（框材）
３３、４３         縦框（框材）
３４、４４         召合わせ框（框材）
３５、４５         複層ガラス（面材）
６１               係止突起
３１１、４１１     面材保持部
３１１Ｂ、４１１Ｂ 保持面部
３１１Ｃ、４１１Ｃ 底面部
３２１、４２１     面材保持部
４２１Ｂ           保持面部
４２１Ｃ           底面部
３３１、４３１     面材保持部
３３１Ｂ           保持面部
３３１Ｃ           底面部
３４１、４４１     面材保持部
３４１Ｂ、４４１Ｂ 保持面部
３４１Ｃ、４４１Ｃ 底面部
【図１】
2015151799.tif 000003
【図２】
2015151799.tif 000004
【図３】
2015151799.tif 000005
【図４】
2015151799.tif 000006
【図５】
2015151799.tif 000007
【図６】
2015151799.tif 000008
【図７】
2015151799.tif 000009
【図８】
2015151799.tif 000010
【図９】
2015151799.tif 000011
【図１０】
2015151799.tif 000012